(57)【要約】【課題】沈砂池の幅方向の寸法が大きい場合でも、沈砂ピット内の沈砂を十分に吸い上げて排出することができる揚砂装置を提供する。【解決手段】沈砂池１１の池底部に形成された沈砂ピット１２内の沈砂を、沈砂吸入管１６を介して水と共に吸い上げて排出する揚砂装置１５において、前記沈砂吸入管の上部を、該沈砂吸込管の下部が沈砂ピットの長手方向に沿って揺動可能な状態で支持するとともに、前記沈砂吸入管を揺動させるための駆動手段を設ける。【選択図】図１
2014108369.tif 000002
【特許請求の範囲】
【請求項１】
沈砂池の池底部に形成された沈砂ピット内の沈砂を、沈砂吸入管を介して水と共に吸い上げて排出する揚砂装置において、前記沈砂吸入管の上部を、該沈砂吸込管の下部が沈砂ピットの長手方向に沿って揺動可能な状態で支持するとともに、前記沈砂吸入管を揺動させるための駆動手段を設けたことを特徴とする揚砂装置。
【請求項２】
前記沈砂吸入管は、該沈砂吸入管の下端部に、下方が拡開した円錐状の吸込ノズルを備えるとともに、該吸込ノズルの内部から前記沈砂ピットの底面に向けて圧力流体を噴出する圧力流体ノズルを備えていることを特徴とする請求項１記載の揚砂装置。
【発明の詳細な説明】
【技術分野】
【０００１】
本発明は、揚砂装置に関し、詳しくは、取水設備等における沈砂池の沈砂ピットから砂や小石等を吸い上げて排出するための揚砂装置に関する。
【背景技術】
【０００２】
取水設備や下水処理設備、ポンプ場等に設けられる沈砂池には、池底に沈降した砂や小石等の沈砂を沈砂池の上流側に形成した沈砂ピットに集める集砂装置と、沈砂ピットに集めた沈砂を沈砂吸入管で水と共に吸い上げて沈砂池から排出する揚砂装置とが設けられている。一般的な揚砂装置は、上端に排砂管が接続され、下端に吸込ノズルを設けた沈砂吸入管を沈砂池の上部に設けた基台から鉛直方向下方に垂下したものであって、ポンプ等を駆動源として沈砂を水と共に沈砂吸入管に吸い上げて沈砂貯留槽に排出するようにしている（例えば、特許文献１参照。）。
【先行技術文献】
【特許文献】
【０００３】
【特許文献１】特開２００７−３８２０８号公報
【発明の概要】
【発明が解決しようとする課題】
【０００４】
しかし、沈砂池の幅方向、すなわち、沈砂ピットの長手方向（水の流れに直交する方向）の寸法が大きい場合、沈砂ピット内の沈砂を十分に吸い上げて排出するためには、沈砂ピットの長手方向に複数の揚砂装置を設置しなければならず、初期コストや保守コストが増加する要因となっていた。
【０００５】
そこで本発明は、沈砂池の幅方向の寸法が大きい場合でも、沈砂ピット内の沈砂を十分に吸い上げて排出することができる揚砂装置を提供することを目的としている。
【課題を解決するための手段】
【０００６】
上記目的を達成するため、本発明の揚砂装置は、沈砂池の池底部に形成された沈砂ピット内の沈砂を、沈砂吸入管を介して水と共に吸い上げて排出する揚砂装置において、前記沈砂吸入管の上部を、該沈砂吸込管の下部が沈砂ピットの長手方向に沿って揺動可能な状態で支持するとともに、前記沈砂吸入管を揺動させるための駆動手段を設けたことを特徴としている。
【０００７】
さらに、本発明の揚砂装置は、前記沈砂吸入管が、該沈砂吸入管の下端部に、下方が拡開した円錐状の吸込ノズルを備えるとともに、該吸込ノズルの内部から前記沈砂ピットの底面に向けて圧力流体を噴出する圧力流体ノズルを備えていることを特徴としている。
【発明の効果】
【０００８】
本発明の揚砂装置によれば、駆動手段によって沈砂吸入管を揺動させることにより、沈砂ピットの長手方向の広い範囲から沈砂を水と共に吸い上げることができる。これにより、沈砂池の幅方向の寸法が大きい場合でも、揚砂装置の設置数を少なくすることができ、沈砂池における初期コストや保守コストの低減を図ることができる。また、吸込ノズルの内部から沈砂ピットの底面に向けて圧力流体を噴出する圧力流体ノズルを設けることにより、固まった状態の沈砂を圧力流体で粉砕して吸い上げ可能な状態にすることができるとともに、沈砂吸入管の揺動も軽い力でスムーズに行うことができる。
【図面の簡単な説明】
【０００９】
【図１】本発明の揚砂装置の一形態例を示す正面図である。
【図２】同じく側面図である。
【図３】沈砂池の一例を示す説明図である。
【発明を実施するための形態】
【００１０】
まず、図３は、本発明の揚砂装置が用いられる沈砂池の基本的な構成を示すもので、流入部１１ａ及び流出部１１ｂを備えた沈砂池１１は、水の流れ方向に対して上流側の池底に沈砂ピット１２を形成するとともに、この沈砂ピット１２の下流側に、池底に沈降した砂や小石等の沈砂を、沈砂ピット１２に向けて集めるための集砂装置１３の集砂水ノズル１３ａが複数列にわたって設けている。
【００１１】
沈砂ピット１２には、集砂装置１３によって沈砂ピット１２に集められた沈砂を水と共に吸い上げて沈砂池１１の外部に設けられた沈砂貯留槽１４に排出する揚砂装置１５が設けられている。この揚砂装置１５は、沈砂池１１の上部から沈砂ピット１２の底面近傍に至る長さの沈砂吸入管１６と、該沈砂吸入管１６の上端に接続された排砂管１７に設けられた吸入ポンプ１８及び揚砂弁１９と、沈砂吸入管１６の下端に設けられた吸込ノズル２０と、該吸込ノズル２０の内部から沈砂ピット１２の底面に向けて圧力流体を噴出する圧力流体ノズル２１と、該圧力流体ノズル２１に圧力流体を供給する圧力流体供給管２２と、圧力流体を発生する圧力流体発生源２３及び圧力流体供給弁２４とを備えている。
【００１２】
図１及び図２は、本発明の揚砂装置の一形態例を示しており、本形態例に示す揚砂装置１５の沈砂吸入管１６は、沈砂池１１の上部から沈砂ピット１２の底面近傍に至る長さの沈砂吸入主管１６ａと、該沈砂吸入主管１６ａの上端部に分岐管部側を接続したＴ字管１６ｂと、該Ｔ字管１６ｂの直管部の一端に設けられたスイベルジョイント１６ｃと、Ｔ字管１６ｂの直管部の他端を閉塞するキャップ１６ｄとで形成されており、前記スイベルジョイント１６ｃに、揚砂弁１９を有する前記排砂管１７が接続されている。
【００１３】
Ｔ字管１６ｂは、直管部の両端部が沈砂吸入主管１６ａを揺動可能に支持する一対の軸受２５によって回動可能にそれぞれ支持されており、Ｔ字管１６ｂの中央上部には、上方に突出した揺動レバー２６が固着され、該揺動レバー２６の上端部に、沈砂吸入主管１６ａの下部を沈砂ピット１２の長手方向に沿って揺動させるための駆動手段である電動機２７が連結部材２８を介して接続されている。
【００１４】
前記吸込ノズル２０は、下方が拡開した円錐状（ラッパ状）の円錐板で形成されており、圧力流体ノズル２１は、吸込ノズル２０の円錐板を貫通した状態で設けられている。圧力流体ノズル２１に圧力流体を供給する圧力流体供給管２２は、沈砂吸入主管１６ａの側方に、支持手段２９によって沈砂吸入主管１６ａと平行に支持されており、圧力流体供給管２２の上部は、沈砂吸入管１６の揺動に対応した可撓管２２ａ及び前記圧力流体供給弁２４を介して前記圧力流体発生源２３に接続されている。
【００１５】
このように形成した揚砂装置１５は、吸入ポンプ１８を作動させるとともに揚砂弁１９を開き、さらに、圧力流体発生源２３を作動させて圧力流体供給弁２４を開いた状態で、集砂装置１３によって沈砂ピット１２に集められた沈砂を沈砂吸入管１６で吸い上げ、排砂管１７から沈砂貯留槽１４に排出する。
【００１６】
このとき、電動機２７を作動させて連結部材２８及び揺動レバー２６を介して沈砂吸入主管１６ａの下部を、図１の想像線で示すように揺動させることにより、沈砂ピット１２の長さ方向（水の流れに直交する方向）の広い範囲にわたって沈砂を十分に吸い込むことができる。これにより、沈砂ピット１２の長さが長い場合でも、従来のように複数の沈砂吸入管を設ける必要がなくなり、揚砂装置１５の初期コストや保守コストを低減することができる。
【００１７】
また、圧力流体ノズル２１から沈砂ピット１２の底面に向けて圧力流体を噴出することにより、沈砂ピット１２内の固まった状態の沈砂を粉砕することができるので、沈砂吸入主管１６ａの揺動を軽い力で行うことができるとともに、沈砂吸入管１６によって沈砂ピット１２内の沈砂を確実に吸い上げて排出することができる。
【００１８】
なお、沈砂吸入管を揺動させる駆動手段は、沈砂吸入管を揺動させることができれば適宜な駆動手段を採用することができ、圧力流体も、従来から用いられている各種圧力流体を適宜に使用することができる。また、沈砂を吸い上げるための駆動源も、周知の駆動源を任意に選択することができ、集砂装置も周知の集砂装置を任意に選択することができる。
【符号の説明】
【００１９】
１１…沈砂池、１１ａ…流入部、１１ｂ…流出部、１２…沈砂ピット、１３…集砂装置、１３ａ…集砂水ノズル、１４…沈砂貯留槽、１５…揚砂装置、１６…沈砂吸入管、１６ａ…沈砂吸入主管、１６ｂ…Ｔ字管、１６ｃ…スイベルジョイント、１６ｄ…キャップ、１７…排砂管、１８…吸入ポンプ、１９…揚砂弁、２０…吸込ノズル、２１…圧力流体ノズル、２２…圧力流体供給管、２２ａ…可撓管、２３…圧力流体発生源、２４…圧力流体供給弁、２５…軸受、２６…揺動レバー、２７…電動機、２８…連結部材、２９…支持手段
【図１】
2014108369.tif 000003
【図２】
2014108369.tif 000004
【図３】
2014108369.tif 000005